(57)【特許請求の範囲】
【請求項１】
データ処理装置とネットワークを介して通信可能な印刷装置であって、
印刷装置に係わる設定情報を記憶する記憶手段と、
前記記憶手段に記憶された印刷装置に係わる設定情報に基づき、前記データ処理装置において前記印刷装置に係るセットアップを行う場合に用いられるセットアップ情報を作成する作成手段と、
携帯物に付されたタグから情報出力先を特定するための情報を読み込む読込手段と、
前記作成手段により作成されたセットアップ情報を、前記読込手段により読み込まれた出力先情報に基づき特定されるネットワーク上の出力先に送信する送信手段と、
を備えることを特徴とする印刷装置。
【請求項２】
前記設定情報は、前記データ処理装置が出力ポートモニタの設定に必要な設定情報を含むことを特徴とする請求項１に記載の印刷装置。
【請求項３】
データ処理装置とネットワークを介して通信可能で、印刷装置に係わる設定情報を記憶する記憶手段を備える印刷装置の制御方法であって、
前記記憶手段に記憶された印刷装置に係わる設定情報に基づき、前記データ処理装置において前記印刷装置に係るセットアップを行う場合に用いられるセットアップ情報を作成する作成工程と、
携帯物に付されたタグから情報出力先を特定するための情報を読み込む読込工程と、
前記作成工程により作成されたセットアップ情報を、前記読込工程により読み込まれた出力先情報に基づき特定されるネットワーク上の出力先に送信する送信工程と、
を備えることを特徴とする印刷装置の制御方法。
【請求項４】
前記設定情報は、前記データ処理装置が出力ポートモニタの設定に必要な設定情報を含むことを特徴とする請求項３に記載の印刷装置の制御方法。
【請求項５】
請求項３または４記載の印刷装置の制御方法をコンピュータに実行させることを特徴とするプログラム。
【発明の詳細な説明】
【技術分野】
【０００１】
本発明は、情報を外部のデータ処理装置に送信する印刷装置、その制御方法、プログラム及び記憶媒体に関する。
【背景技術】
【０００２】
従来、データ処理装置において、ネットワーク接続環境下で動作するプリンタを制御するためのプリンタドライバをインストールする場合、ユーザはネットワーク上のサーバから当該プリンタドライバを自分のＰＣにダウンロードするなどしてプリンタドライバをインストールしている。その際、ユーザは使用するプリンタの機種名、プリンタ名などをもとにプリンタドライバを選択しインストールを行っている。
【０００３】
また、特許文献１には、ユーザがコンピュータから優先度を高くする種別のプリンタをアクセスポイント又はサーバに指定し、指定に応じたプリンタドライバ及び印刷設定をコンピュータで受ける技術が開示されている。
【特許文献１】特開２００２−２５９０８９号公報
【発明の開示】
【発明が解決しようとする課題】
【０００４】
しかしながら、前記従来例においては、プリンタの機種名がわからない場合や実際の物理的場所にあるプリンタと前記プリンタ名の対応がわからない場合、目の前にあるプリンタを使うのにサーバで管理されている複数種類あるプリンタドライバの中からどのプリンタドライバを選択してインストールしたらよいかわからないという課題があった。
【０００５】
一方、ダウンロードしたプリンタドライバにプリンタのＩＰアドレスなどのネットワーク設定に関する情報が含まれていない場合、ユーザが前記ネットワーク設定に関する情報を自分で調べた後設定しなければならないという操作上の課題が指摘されていた。
【０００６】
本発明は、上記の課題を解決するためになされたもので、本発明の目的は、プリンタドライバに係るセットアップ情報を携帯物に付されたタグから読み込む情報出力先に送信できる仕組みを提供することである。
【課題を解決するための手段】
【０００７】
本発明に係る印刷装置は、以下の特徴的構成を備える。
【０００８】
データ処理装置とネットワークを介して通信可能な印刷装置であって、印刷装置に係わる設定情報を記憶する記憶手段と、前記記憶手段に記憶された印刷装置に係わる設定情報に基づき、前記データ処理装置において前記印刷装置に係るセットアップを行う場合に用いられるセットアップ情報を作成する作成手段と、携帯物に付されたタグから情報出力先を特定するための情報を読み込む読込手段と、前記作成手段により作成されたセットアップ情報を、前記読込手段により読み込まれた出力先情報に基づき特定されるネットワーク上の出力先に送信する送信手段と、を備えることを特徴とする。
【０００９】
データ処理装置とネットワークを介して通信可能で、印刷装置に係わる設定情報を記憶する記憶手段を備える印刷装置の制御方法であって、前記記憶手段に記憶された印刷装置に係わる設定情報に基づき、前記データ処理装置において前記印刷装置に係るセットアップを行う場合に用いられるセットアップ情報を作成する作成工程と、携帯物に付されたタグから情報出力先を特定するための情報を読み込む読込工程と、前記作成工程により作成されたセットアップ情報を、前記読込工程により読み込まれた出力先情報に基づき特定されるネットワーク上の出力先に送信する送信工程とを備えることを特徴とする。
【発明の効果】
【００１０】
本発明によれば、プリンタドライバに係るセットアップ情報を携帯物に付されたタグから読み込む情報出力先に送信できる。
【発明を実施するための最良の形態】
【００１１】
次に本発明を実施するための最良の形態について図面を参照して説明する。
【００１２】
〔第１実施形態〕
図１は、本発明の第１実施形態を示す印刷システムの一例を示すブロック図であり、プリンタとＰＣとがネットワークを介して通信可能な印刷システム例に対応する。
【００１３】
図１において、１０１は少なくともデータ通信機能及び記憶部であるタグ備えた携帯物の一例としてのＲＦＩＤカードである。カード内にＲＦＩＤタグ１０２（ＲＦＩＤタグ１０２の詳細については後述する。）を備えている。
【００１４】
本実施形態においては所定の情報を記憶するタグとしてＲＦＩＤに限定されるものではなく例えばＩＣチップなど様々な記憶装置が適用可能である。以下では説明を分かりやすくする為にＲＦＩＤを例に説明を行う。
【００１５】
また、携帯物としてカードに限定されるものではなく例えば腕時計などタグを備えた物理的形状を備えるものであれば適宜可能である。以下では説明を分かりやすくする為に、タグとしてＲＦＩＤを付したＲＦＩＤカードを例に説明を行う。
【００１６】
ＲＦＩＤカード１０１は、ユーザ個人が各自携帯するＩＤカードであり、ユーザの個人認証のための機能を有している。１０３はパーソナルコンピュータ（以下ＰＣとする）で、ユーザはＰＣ１０３によって種々のアプリケーションを実行してデータ処理作業を行う。
【００１７】
１０４はプリンタで、ＰＣ１０３にインストールされているプリンタドライバを介して印刷情報を受信して、ユーザからプリント要求されている各種文書を記録媒体に印刷する。１０５はＲＦＩＤリーダで、詳細については後述する。尚図中にはＲＦＩＤリーダと示されているが、適宜必要な場合にライト機能、即ちデータの書き込み機能を備えさせ書き込み手段として動作させるようにしても良い。
【００１８】
１０６はＨＤＤで、プリンタ１０４内に備えられて、ジョブを一時的に蓄積することが可能に構成されており、ボックスと呼ばれるユーザ領域を確保可能に構成されている。
【００１９】
またＨＤＤ１０６には、プリンタ名、ドライバのＵＲＬ、ＩＰアドレス、ＭＡＣアドレス、サポート通信プロトコル、ステイプラや両面ユニットなどのオプション構成を示す構成情報など、プリンタドライバ自身に対する情報及び/又はプリンタドライバに関連付けられた出力ポートモニタのプリンタ設定情報が記憶されている。
【００２０】
１０７はプリンタドライバで、プリンタ１０４専用のプリンタドライバであり、ＨＤＤ１０６上の所定領域に格納されている。なお、ＨＤＤに記憶された設定情報はプリンタドライバ１０７に含めるようにしても良いし別のファイルとしても良い。
【００２１】
１０８は、プリンタ１０４から例えば後述するセットアップ情報を送信する上での出力先を示す情報としてのメールアドレスで、ＲＦＩＤカード１０１を携帯するユーザのメールアドレスであり、メールアドレス１０８はＲＦＩＤリーダ１０５によってプリンタ１０４に読み込まれる。その過程については後述する。
【００２２】
尚、第１及び第２実施形態においてはプリンタから外部のＰＣに対しての情報の出力先としてメールアドレスを例に説明を行うがこれには限定されない。例えばＰＣ１０３において共有設定されフォルダ（格納場所）のパスや、ＰＣ１０３のＩＰアドレスや、ＰＣ１０３のＤＮＳ（Ｄｏｍａｉｎ Ｎａｍｅ Ｓｙｓｔｅｍ）における名前など、プリンタ１０４から情報を何処に出力するかを特定できる情報であれば適用可能である。
【００２３】
また、出力先にセットアップ情報を送出する際は指定された出力先に応じた通信プロトコルが利用される。例えば出力先としてメールアドレスが指定された場合には、電子メールプロトコルが用いられ、出力先としてフォルダが指定された場合にはｆｔｐが利用される。
【００２４】
なお、ＰＣ１０３とプリンタ１０４はネットワーク１０９に接続されており、後述する手順に従い、セットアップ情報であるプリンタドライバ１０７が添付されたメール１１０をＲＦＩＤカード１０１に記憶されたメールアドレスに対して送信する。セットアップ情報としては、例えば所定の圧縮方式により圧縮されたファイル形式のデータとすることができる。
【００２５】
ここでプリンタドライバ１０７について説明する。
【００２６】
プリンタ１０４に備えられているＨＤＤ１０６上のプリンタドライバ１０７は、このプリンタ１０４の機種に対応したプリンタドライバである。更に、図１において説明したようにネットワーク１０９におけるプリンタ１０４のＩＰアドレスなどのネットワーク設定に関する情報も予め設定されたものがプリンタドライバ１０７としてＨＤＤ１０６上に格納されている。無論、プリンタドライバ本体と、プリンタドライバのセットアップにおけるＩＰアドレスなどの設定情報とを別ファイルに分離し、該分離されたファイルをアーカイブした圧縮ファイルをセットアップ情報とするようにしても良い。
【００２７】
また、本実施形態では、説明の便宜上プリンタドライバという名前で説明を行うが、プリンタドライバ１０７には、プリンタドライバ１０７をＰＣ１０３等にインストールするためのインストーラが含まれていることは言うまでもない。
【００２８】
図２は、図１に示したプリンタ１０４を制御するビデオコントローラ（以下コントローラとする）の構成例を説明するブロック図であり、図１と同一のものには同一の符号を付してある。
【００２９】
図２において、２０１はＣＰＵで、ＲＯＭ２０２に記憶された制御プログラムをＲＡＭ２０３上に読み込み、該制御プログラムに基づいて本印刷装置の各部を制御する。
【００３０】
２０２はＲＯＭで、前述の制御プログラムやフォントデータ（プリンタフォントデータ）が格納されている。２０３はＲＡＭで、ＣＰＵ２０１のワークメモリ領域や、印刷する画像データを展開する領域などに使用される。
【００３１】
２０４はホストＩ／Ｆで、図１に示したＰＣ１０３にインストールされるプリンタドライバからの印刷データを受信する。２０５は操作パネル制御部で、操作パネル（例えばＬＣＤ、ＬＥＤ、スイッチなどから構成される）の入出力を制御する。２０６はビデオＩ／Ｆで、印刷する画像信号を生成しプリンタエンジン（図示はしない）に出力する。そして、プリンタエンジンは画像信号に基づき所定の用紙に印刷を行う。
【００３２】
また、図２中の１０５は図１におけるＲＦＩＤリーダ１０５と同一である。同様に図２における１０６はＨＤＤである。
【００３３】
尚、図１におけるプリンタの記録方式は特に限定されるものではなく、従って図２におけるプリンタエンジン方式も特に限定されるものではない。プリンタエンジンの方式としては例えば、電子写真方式、インクジェット方式、熱転写方式など様々なものが適用され、よって図１におけるプリンタも様々な記録方式に準じた印刷装置を適用することができる。
【００３４】
図３は、図１に示したＲＦＩＤタグ１０２の構成を説明するブロック図である。
【００３５】
図３において、ＲＦＩＤタグ１０２は、不揮発性メモリ３０１、電波を送受信するためのアンテナ部３０２と、共振コンデンサ部３０３、電源の整流・平滑を行うための電力形成部３０４と、電波の変調、復調を行うための復変調部３０５、制御部３０６とから構成される。
【００３６】
アンテナ部３０２は、共振コンデンサ３０３と組み合わされ、共振回路を構成できるようになっている。外部から電力を供給するための電波信号が送られることにより、これを共振回路で受け取り、該信号を電力形成部３０４へ供給する。
【００３７】
そして、電力生成部３０４はＲＦＩＤタグ１０２を動作させるための電力を供給することが可能となる。前記電力は、不揮発性メモリ３０１や、復変調回路３０５へ供給される。制御部３０６は、ＲＦＩＤタグ１０２へのアクセス制御を行うためのものである。
【００３８】
外部から、電力を供給するための電波とあわせて、ＲＦＩＤタグ１０２から読み出す、または書き着込むためのデータも同時に送受信され、ＲＦＩＤタグ１０２へ送られてきた信号は、復変調回路３０５によって、復調され制御部３０６を介して不揮発性メモリ３０１へ書き込まれ記憶される。
【００３９】
また、制御部３０６によって、不揮発性メモリ３０１から読み出されたデータは、復変調回路３０５によって変調され、アンテナ部３０２から電波信号として送信可能である。
【００４０】
図４は、図１に示したプリンタ１０４内のＲＦＩＤリーダ１０５の構成を説明するブロック図である。
【００４１】
図４において、ＲＦＩＤリーダ１０５は、ＲＦＩＤタグ１０２に対して電波を送信するための送信アンテナ部４０１と、送信アンテナ部４０１から送信する電波の変調を行うための変調回路４０２と、ＲＦＩＤタグ１０２から送られてくる電波を受信するための受信アンテナ部４０３、受信アンテナ部４０３より受信した信号を復調するための復調回路４０４、変調回路４０２と復調回路４０４とを制御するための制御部４０５と、上位機器との通信を行うＩ／Ｆ部４０６と、送信アンテナ部４０１に接続され、ＲＦＩＤタグ１０２への電力供給を行う電源４０７等から構成される。
【００４２】
このように構成されたＲＦＩＤリーダ１０５において、制御部４０５は、外部からの指示により変調回路４０２を用いて電力を供給するための電波（以下チャージ波とする）及び、送信するデータを変調して、送信アンテナ部４０１より外部へ電波を送信する。また、外部より受信した電波信号を、受信アンテナ部４０３で受信して、復調回路４０４によって復調した後、データ信号として扱えるように変換することが可能となっている。
【００４３】
図５は、図１に示したＲＦＩＤカード１０１内に備えられているＲＦＩＤタグ１０２の不揮発性メモリ３０１内のデータ内容の一例を説明する図である。
【００４４】
なお、前述したようにＲＦＩＤカード１０１は、ユーザ個人が各自携帯するＩＤカードである。また、本実施形態では、ＲＦＩＤカード１０１が会社内のＩＤカードである場合について説明する。
【００４５】
図５において、５０６はカード識別子、５０１は、ＲＦＩＤカード１０１の所有者即ちＲＦＩＤカード１０１を常時携帯するユーザの氏名である。５０２はユーザの社員番号、５０３はユーザのメールアドレス、５０４はユーザの内線番号である。なお、上記５０１〜５０４の情報以外の情報も不揮発性メモリ３０１内に格納されており、５０５の個人情報Ｘまでユーザの各種個人情報が格納されているものとする。図５に示される各項目は予めプリンタ１０４との間で決められたフォーマットから構成されており、各々の項目にはプリンタ１０４が識別できるようになっている。
【００４６】
例えば、各項目の記憶領域を予めＲＦＩＤカード及びプリンタ１０４間で取り決めておいても良いし、或いは、予め各項目の項目識別子を定めておき、プリンタ１０４にこの項目識別子を元に各項目内容を認識させるようにしても良い。
【００４７】
ここで、カード識別子５０６について詳しく説明すると、カード識別子５０６は携帯物であるＲＦＩＤカードの種別をプリンタ１０４が識別する為の識別情報を示す。
【００４８】
このカード識別子がプリンタ１０４のＲＦＩＤリーダ１０５により読み取られると、プリンタ１０４内部ではカード識別子を識別し、この識別結果に応じて図６の（ｂ）に示されるようなメニュー表示を行う。
【００４９】
一方、このカード識別子５０６が識別できない場合にはメニュー表示は行わなくても良い。また、様々な物品にＲＦＩＤが付される場合に想定されるが、プリンタ１０４は自装置に登録された識別子を識別したことに応じてメニュー表示などの所定の処理へと移行すし、カード識別子５０６が識別できない場合には不要は処理は行わない。
【００５０】
また、カード識別子５０６には単なる文字列を適用しても良いし、さらに高度な暗号化を施した認証情報とするようにしても良い。
【００５１】
図６の（ａ）は、本発明に係る印刷システムにおける第１のデータ処理手順の一例を示すフローチャートであり、ＣＰＵ２０１がＲＦＩＤリーダ１０５が読み取った情報に従い、ハードディスク１０６から選択されるプリンタドライバをプリンタ１０４からホストインタフェース２０４を介してメールでＰＣ１０３に送信する処理に対応する。なお、（Ｓ６０１）〜（Ｓ６０８）は各ステップを示す。
【００５２】
ユーザが新たにプリンタ１０４を使用したい場合（例えばプリンタ１０４が新設された場合や今まで使用していたプリンタとは別のプリンタを使う必要が生じた場合）、ユーザはプリンタ１０４が設置してある場所まで出向き、携帯物であるＲＦＩＤカード１０１をプリンタ１０４のＲＦＩＤリーダ１０５に翳す。
【００５３】
ＲＦＩＤリーダ１０５は翳されたＲＦＩＤカード１０１内のＲＦＩＤタグ１０２の不揮発性メモリ３０１のデータを受信アンテナ部４０３で受信する（６０１）。
【００５４】
ここで前述のＲＦＩＤタグ１０２−ＲＦＩＤリーダ１０５間のデータ送受信について図３、図４を用いて詳細に説明する。
【００５５】
ＲＦＩＤリーダ１０５の送信アンテナ部４０１からは所定の間隔でチャージ波が送信されている。ユーザがＲＦＩＤカード１０１をＲＦＩＤリーダ１０５に翳すと、ＲＦＩＤカード１０１上のＲＦＩＤタグ１０２はアンテナ部３０２と共振コンデンサ３０３から構成される共振回路によってＲＦＩＤリーダ１０５からのチャージ波を受信し、電力形成部３０４はＲＦＩＤタグ１０２を動作させるための電力を供給することが可能となる。
【００５６】
そして、十分な電力を得たＲＦＩＤタグ１０２は、制御部３０６によって不揮発性メモリ３０１からデータを読み出し、データを復変調回路３０５によって変調し、アンテナ部３０２から電波信号として送信する。すると、ＲＦＩＤリーダ１０５において、ＲＦＩＤタグ１０２からの応答信号が検知され、電波信号に変換された不揮発性メモリ３０１のデータはＲＦＩＤリーダ１０５において受信される。
【００５７】
具体的には電波信号を受信アンテナ部４０３で受信して、復調回路４０４によって復調した後、データ信号として扱えるように変換する。そして、復調されたデータはＩ／Ｆ部４０６を経由して、図２に示したＣＰＵ２０１がリード可能となる。
【００５８】
その後、ＲＦＩＤリーダ１０５はＣＰＵ２０１に対して割り込みを発生し、ＣＰＵ２０１はＲＦＩＤリーダ１０５において受信された不揮発性メモリ３０１のデータをリードしＲＡＭ２０３上に格納する。前述したように不揮発性メモリ３０１のデータはＲＦＩＤカード１０１の所有者であるユーザの氏名５０１、社員番号５０２、メールアドレス５０３、内線番号５０４などである。
【００５９】
ＣＰＵ２０１は、割込みによってユーザがＲＦＩＤカード１０１をプリンタ１０４に対して翳したことを検知し、読み込まれた情報に自装置が認識できるカード識別子５０６を識別できたか否かを判定する（Ｓ６０７）。そして、想定されていたカード識別子が識別できると処理をステップＳ６０３に移行する。一方、このステップＳ６０２の処理において所定の識別子が認識できなければ、図６のフローチャートの処理を終える。
【００６０】
ＲＡＭ２０３上の各種個人情報の中からメールアドレス５０３を抽出する（６０３）。尚、図５でも説明したように、各項目は予めプリンタ１０４との間で決められたフォーマットから構成されており、各々の項目にはプリンタ１０４が識別できるようになっている。
【００６１】
プリンタ１０４は予め決められた規則に従い図５の各項目の中から、セットアップ情報の出力先であるメールアドレスを抽出する。また、図６の（ｂ）のメニューを表示させる条件としてのタグ（ＲＩＦＤ）から読み込まれる識別情報をプリンタに事前に登録することができ、登録された識別情報が読み込まれたか否かに応じて図６の（ｂ）のメニューを表示させるか否かをユーザカスタマイズ設定できる。
【００６２】
その後、操作パネル制御部２０５によってプリンタ１０４の操作パネルに図６の（ｂ）に示されるようなプリンタドライバダウンロード用メニューを表示する（Ｓ６０４）。
【００６３】
図６の（ｂ）は予めプリンタ１０４に記憶部に保持された設定画面情報であり、ユーザはプリンタ１０４の表示制御手段により表示されたメニューから所望の操作を指示できる。本実施形態においては、図６の（ｂ）中の「プリンタドライバダウンロード」を選択することを想定し、ユーザは操作パネルによって、プリンタ１０４のプリンタドライバのダウンロードを実行することが可能となる。
【００６４】
そこで、ユーザは、適宜操作パネルを操作してプリンタドライバのダウンロードを指示する（Ｓ６０５）。その指示を受けると、プリンタ１０４によってセットアップ情報が作成される（Ｓ６０８）。
【００６５】
このセットアップ情報はプリンタドライバ１０７に対応し、印刷データを生成するプリンタドライバ本体と、プリンタ１０４のプリンタ名、ドライバのＵＲＬ、ＩＰアドレス、ＭＡＣアドレス、サポート通信プロトコル、ステイプラや両面ユニットなどのオプション構成を示す構成情報など、プリンタドライバ自身に対する情報及び/又はプリンタドライバに関連付けられた出力ポートモニタの印刷設定情報が記憶されている。またプリンタドライバ１０７にはＰＣ１０３にプリンタドライバを設定するインストーラのプログラムも含まれており、ＰＣ１０３（データ処理装置）ではプリンタドライバ本体及び印刷設定情報及びインストーラを含むセットアップ情報に従いプリンタ１０４の設定が行なわれる。
【００６６】
さらに、ユーザの利用するＰＣに既にプリンタドライバ本体が記憶されている場合には、プリンタドライバ本体の除いたセットアップ情報をプリンタからＰＣに提供するようにしても良い。
【００６７】
そして、プリンタ１０４内のＣＰＵ２０１は、抽出した出力先であるメールアドレス５０３に対してＨＤＤ１０６上のプリンタドライバ１０７（セットアップ情報）を添付したメールを作成し、ホストＩ／Ｆ２０４経由でプリンタドライバが添付されたメール１１０を送信して（Ｓ６０６）、処理を終了する。
【００６８】
これにより、ネットワーク上でのプリンタ名およびＩＰアドレス等が全く分からないユーザであっても、新たにプリンタ１０４を使用しようとしたユーザ、即ち自分が携帯するＲＦＩＤカード１０１を単にプリンタ１０４のＲＦＩＤリーダ１０５に翳すという簡単な操作を行ったユーザは、その後自分のＰＣ１０３の場所に戻り、メールを受信する。前述のプリンタドライバが添付されたメール１１０がＰＣ１０３において受信されるので、ユーザは添付されたプリンタドライバ１０７に付加されているインストーラを起動して、ＰＣ１０３の外部記憶装置にインストールする。
【００６９】
インストール後、当該プリンタドライバには、プリンタ名やＩＰアドレスなどの印刷設定が自動設定された状態となり、ユーザは、ＰＣ１０３上の各種のアプリケーションを起動して、印刷要求を行うと、インストールされているプリンタドライバがネットワーク上のプリンタ１０４に最適な印刷情報を作成して送信し、プリンタ１０４で各種文書等を自在に印刷することが可能となる。
【００７０】
以上図１〜図６を用いて説明してきたように本発明の第１実施形態では、プリンタ１０４にＲＦＩＤリーダ１０５を設け、更にＨＤＤ上にプリンタ１０４用のプリンタドライバ１０７を格納することにより、ユーザが携帯するＲＦＩＤカード１０１内のＲＦＩＤタグ１０２上の個人情報の中から出力先であるメールアドレス５０３を取得可能となる。
【００７１】
更に取得したメールアドレス５０３に対してセットアップ情報を添付したメールを送信することにより、ユーザはＰＣ１０３において受け取ったプリンタドライバ１０７に基づくインストール指示を行うだけでプリンタ１０４を使用可能となる。
【００７２】
ユーザはプリンタ１０４の機種名を知らなくても、またＩＰアドレスなどのネットワーク設定しなくてもプリンタ１０４を使用することが可能となるのでプリンタドライバインストールの簡易化が可能となる。
【００７３】
また、セットアップ情報をメニュー表示を介して要求された場合に、自装置に関するセットアップ情報を作成すればよく、プリンタ１０４は容易にプリンタドライバ及び出力ポートモニタの設定に必要な設定情報を含むセットアップ情報を作成することができ、それを指定された出力先に提供することができ、ユーザにとって非常に有用な情報を提供できる。
【００７４】
本実施形態では、ユーザのメールアドレスに対してＨＤＤ上のプリンタドライバを送信する構成とした。
【００７５】
しかし、ネットワーク上のサーバに当該プリンタ用かつ当該プリンタのネットワーク設定が予め設定されているプリンタドライバを置き、ユーザのメールアドレスに対してプリンタドライバの所在を示すＵＲＬなどをメールで送信し、ユーザがＵＲＬからプリンタドライバをダウンロードするという構成によっても本実施例同様の効果が得られる。
【００７６】
〔第２実施形態〕
上記第１実施形態では、携帯物に付されたタグ（ＲＦＩＤカード１０１）に記憶された情報をプリンタ１０３が読込み、該ＲＦＩＤカード７０１を所持する者のＰＣアドレスに対して、プリンタ１０３自信がメールを作成し、プリンタドライバを添付して送信し、該送信されたプリンタドライバをインストールする場合について説明したが、プリンタからプリンタドライバをインストールするためのプリンタ情報をＲＦＩＤカードに吸い上げて、ＰＣ側でＲＦＩＤカード７０１に対する読み書き機能（リーダ・ライタ）機能を備え、プリンタから取得したプリンタ情報を一端、利用者のＰＣに読み込ませ、その後、ＰＣでプリンタサーバのドライバ管理データベースから対応するプリンタドライバをダウンロードして、利用者のＰＣへインストールするように制御してもよい。以下、その実施形態について説明する。
【００７７】
尚、第２実施形態においても、携帯物としてＲＦＩＤカードを例にし、タグとしてＲＦＩＤを例に説明を行うが、第１実施形態と同様にこれに限定されるものではない。
【００７８】
図７は、本発明の第２実施形態を示す印刷システムの構成を説明するブロック図である。
【００７９】
図７において、７０１はＲＦＩＤカードで、カード内にＲＦＩＤタグ７０２を備えている（ＲＦＩＤタグ７０２については後述する）。
【００８０】
ＲＦＩＤカード７０１はユーザ個人が各自携帯するＩＤカードであり、ユーザの個人認証のための機能を兼ね備えている。７０３はプリンタで、ユーザの各種文書を印刷する。なお、説明のためプリンタ７０３のネットワーク上でのプリンタ名を"ｐｒｉｎｔｅｒ＿Ｄ"とする。
【００８１】
７０４はＲＦＩＤリーダ・ライタで詳細については後述する。７０５は各種プリンタ情報で、ＲＦＩＤリーダ・ライタ７０４とＲＦＩＤカード７０１上のＲＦＩＤタグ７０２の間で送受信される。その各種プリンタ情報の内容及びその送受信の過程については後述する。
【００８２】
プリンタ７０３を制御するビデオコントローラ（以下コントローラとする）の構成は第１実施形態とほぼ同じであり、図２におけるＲＦＩＤリーダ１０５をＲＦＩＤリーダ・ライタに置き換えることにより第２実施形態におけるコントローラが構成される。
【００８３】
なお、ＲＦＩＤタグ７０２の構成は、第１実施形態における図３に示した構成を備えているものとする。また、ＲＦＩＤリーダ・ライタ７０４の構成は、第１実施形態における図４に示した構成を備えているものとする。
【００８４】
図８は、図７に示したＲＦＩＤカード７０１内に備えられているＲＦＩＤタグ７０２の不揮発性メモリ３０１内のデータ内容の一例を説明する図である。
【００８５】
前述したようにＲＦＩＤカード７０１は、ユーザ個人が各自携帯するＩＤカードである。
【００８６】
図８の（ａ）において、８０１は個人情報領域で、ＲＦＩＤカード７０１の所有者の各種個人情報が格納されてある。各種個人情報とは、例えば第１実施形態同様氏名、社員番号、メールアドレスなどである。８０２はプリンタ情報領域で詳細については後述する。８０３はその他の情報領域で各種個人情報、プリンタ情報以外の情報が格納される。
【００８７】
プリンタ情報領域８０２のフォーマットは、プリンタ名８０４、ドライバのＵＲＬ８０５、ＩＰアドレス８０６を含み、データ８０７〜８１１の計１０（途中は省略する）のデータが格納可能である。各々のデータについての詳細は後述する。なお、プリンタ情報（１）〜（３）が既に登録済みの状態である。
【００８８】
図８の（ａ）において、プリンタ名８０４の項目のデータ８０７は"ｐｒｉｎｔｅｒ＿Ａ"である。
【００８９】
ドライバのＵＲＬ８０５の項目のデータ領域８０７はｈｔｔｐ：／／ａａａ．ａａａである。ドライバのＵＲＬとは、サーバ９０４のプリンタドライバＤＢ９０５上のプリンタ名"ｐｒｉｎｔｅｒ＿Ａ"用のプリンタドライバのありかを示すＵＲＬである。ＩＰアドレスの項目のデータは"１１１．１１．１１．１１１"である。これはネットワークにおける"ｐｒｉｎｔｅｒ＿Ａ"のＩＰアドレスを示す。尚、図中には示されていないが８０４乃至８０６以外にもプリンタ情報領域８０２には、第１実施形態と同様に、プリンタ名、ドライバのＵＲＬ、ＩＰアドレス、ＭＡＣアドレス、サポート通信プロトコル、ステイプラや両面ユニットなどのオプション構成を示す構成情報など、プリンタドライバ自身に対する情報及び/又はプリンタドライバに関連付けられた出力ポートモニタのプリンタ設定情報を含めるようにしても良い。
【００９０】
同様に、データ領域８０８には、プリンタ名が"ｐｒｉｎｔｅｒ＿Ｂ"、"ｐｒｉｎｔｅｒ＿Ｂ"のプリンタドライバのありかを示すＵＲＬ "ｈｔｔｐ：／／ｂｂｂ．ｂｂｂ"、ネットワークにおける"ｐｒｉｎｔｅｒ＿Ｂ"のＩＰアドレス"２２２．２２．２２．２２２"が格納されている。
【００９１】
同様に、データ領域８０９にはプリンタ名が"ｐｒｉｎｔｅｒ＿Ｃ"、"ｐｒｉｎｔｅｒ＿Ｃ"のプリンタドライバのありかを示すＵＲＬ "ｈｔｔｐ：／／ｃｃｃ．ｃｃｃ"、ネットワークにおける"ｐｒｉｎｔｅｒ＿Ｃ"のＩＰアドレス"３３３．３３．３３．３３３"が格納されている。
【００９２】
データ領域８１０〜８１１には何のデータも登録されておらず、データ領域８０７〜８０９同様にプリンタの各種情報を登録可能である。
【００９３】
図８の（ｂ）は、図８の（ａ）に示す状態から、プリンタ７０３のＲＦＩＤリーダ・ライタ７０４によって、新たなプリンタ情報（４）が書き込まれた状態に対応する。データ８１２については後述する。
【００９４】
図９は、本発明の第２実施形態を示す印刷システムの構成を説明するブロック図であり、図７と同一のものには同一の符号を付してある。
【００９５】
図９において、９０１はＰＣで、ＲＦＩＤカード７０１を所有しているユーザが使用しているＰＣでありネットワークに接続されている。ＰＣ９０１にはＲＦＩＤリーダ・ライタ９０２が備えられており、その働きは図７に示したＲＦＩＤリーダ・ライタ７０４と同様である。
【００９６】
９０３は各種プリンタ情報で、ＲＦＩＤリーダ・ライタ９０２によってＲＦＩＤカード７０１上のＲＦＩＤタグ７０２から読み込まれる。その過程については後述する。９０４はネットワーク上のサーバで、プリンタドライバデータベース（以下プリンタドライバＤＢとする）９０５でプリンタドライバを一元管理している。９０６はプリンタドライバで、サーバ９０４からＰＣ９０１によってダウンロードされる。なお、プリンタドライバの取得からインストールまでの処理については後述する。
【００９７】
先ず、図８におけるプリンタ情報領域８０２の各々のデータについての詳細を図８に示すデータ８０７を一例としてについて説明する。
【００９８】
図１０は、本発明に係る印刷システムにおける第２のデータ処理手順の一例を示すフローチャートであり、プリンタ７０３におけるＣＰＵによるデータ処理手順に対応する。なお、Ｓ１００１〜Ｓ１００５は各ステップを示す。
【００９９】
ユーザが新たにプリンタ７０３を使用したい場合（例えばプリンタ７０３が新設された場合や今まで使用していたプリンタとは別のプリンタを使う必要が生じた場合）、ユーザはプリンタ７０３が設置してある場所まで出向き、携帯しているＲＦＩＤカード７０１をプリンタ７０３のＲＦＩＤリーダ・ライタ７０４に翳す。
【０１００】
ＲＦＩＤリーダ・ライタ７０４は、翳されたＲＦＩＤカード７０１内のＲＦＩＤタグ１０２の不揮発性メモリ３０１のデータを受信する（Ｓ１００１）。
【０１０１】
尚、第１実施形態と同様に、ステップＳ１００１により読み込まれた情報に、自装置が認識できるカード識別子８１３を識別できたか否かを判定し、想定されていたカード識別子が識別できると処理をステップＳ１００２に移行する。一方、予めプリンタに登録されていた識別子が認識できなければ、図１０のフローチャートの処理を終える。
【０１０２】
次に、ＲＦＩＤタグ７０２−ＲＦＩＤリーダ・ライタ７０４間のデータ送受信の際の動作は第１実施形態において図３、４を用いて説明した動作と同様である。その結果、ＲＦＩＤリーダ・ライタ７０４において、前述した個人情報領域８０１内のデータ、プリンタ情報領域８０２のデータ及びその他の情報領域８０３のデータが受信される。
【０１０３】
そして、図７における各種プリンタ情報７０５（プリンタ情報領域８０２のデータを含む）は、ＲＦＩＤタグ７０２からＲＦＩＤリーダ・ライタ７０４に送信される。
【０１０４】
その後、ＲＦＩＤリーダ・ライタ７０４は、ＣＰＵ２０１に対して割り込みを発生し、ＣＰＵ２０１はＲＦＩＤリーダ・ライタ７０４において受信されたデータの中からプリンタ情報領域８０２のデータをリードし（Ｓ１００２）、ＲＡＭ２０３上に格納する。
【０１０５】
次に、ＣＰＵ２０１は自プリンタの情報がＲＡＭ２０３上に格納されたデータの中にあるか否かを判断する（Ｓ１００３）。
【０１０６】
ＲＡＭ２０３上には、例えば図８に示したプリンタ名８０４が"ｐｒｉｎｔｅｒ＿Ａ"、"ｐｒｉｎｔｅｒ＿Ｂ"、"ｐｒｉｎｔｅｒ＿Ｃ"のドライバのＵＲＬ８０５のデータ及びＩＰアドレス８０６のデータが格納されている。
【０１０７】
また、前述したようにプリンタ７０３のネットワーク上でのプリンタ名は"ｐｒｉｎｔｅｒ＿Ｄ"であるので、プリンタ７０３のプリンタ名が"ｐｒｉｎｔｅｒ＿Ｄ"である場合、ＲＡＭ２０３上には"ｐｒｉｎｔｅｒ＿Ｄ"の情報は格納されていない。
【０１０８】
従って、ステップ（Ｓ１００３）では、ＣＰＵ２０１は「自プリンタの情報がない」と判断する。言い換えればＲＦＩＤカード７０１内のＲＦＩＤタグ７０２上にはプリンタ名"ｐｒｉｎｔｅｒ＿Ｄ"であるプリンタ７０３の情報が入っていないと判断される。
【０１０９】
その場合、ＣＰＵ２０１は自プリンタの情報即ちプリンタ名"ｐｒｉｎｔｅｒ＿Ｄ"及び"ｐｒｉｎｔｅｒ＿Ｄ"のプリンタドライバのありかを示すＵＲＬ及び"ｐｒｉｎｔｅｒ＿Ｄ"のＩＰアドレスをＲＦＩＤリーダ・ライタ７０４経由でＲＦＩＤカード７０１内のＲＦＩＤタグ７０２上の不揮発性メモリ３０１にライトして（Ｓ１００４）、処理を終了する。
【０１１０】
このライト処理は、具体的には図４において、ＩＦ部４０６から自プリンタの情報のデータが入力され、制御部４０５は変調回路４０２を用いて電力を供給するための電波及び自プリンタの情報のデータを変調して、送信アンテナ部４０１より外部へ電波を送信する。
【０１１１】
一方、図３におけるＲＦＩＤカード７０１のＲＦＩＤタグ７０２では電力を供給するための電波及び自プリンタの情報の電波がアンテナ部３０２から受信され、復変調回路３０５によって、復調され制御部３０６を介して不揮発性メモリ３０１へライトされる。
【０１１２】
その結果、図８の（ｂ）に示されるようにプリンタ情報領域８０２の８１２の領域にプリンタ７０３の各種プリンタ情報即ちプリンタ名"ｐｒｉｎｔｅｒ＿Ｄ"及び"ｐｒｉｎｔｅｒ＿Ｄ"のプリンタドライバのありかを示すＵＲＬ及び"ｐｒｉｎｔｅｒ＿Ｄ"のＩＰアドレスが格納される。
【０１１３】
"ｐｒｉｎｔｅｒ＿Ｄ"のプリンタドライバのありかを示すＵＲＬをｈｔｔｐ：／／ｄｄｄ．ｄｄｄ、ＩＰアドレスを"４４４．４４．４４．４４４"とする。
【０１１４】
例えばプリンタ７０３のプリンタ名が"ｐｒｉｎｔｅｒ＿Ｄ"ではなく"ｐｒｉｎｔｅｒ＿Ａ"である場合について説明する。
【０１１５】
この場合、図１０に示したステップ（Ｓ１００３）で、自プリンタの情報がＲＡＭ２０３上に格納されたデータの中にあるか否の判断において、ＲＡＭ２０３上には既に"ｐｒｉｎｔｅｒ＿Ａ"の情報が格納されているので「自プリンタの情報がある」とＣＰＵ２０１が判断する。
【０１１６】
言い換えれば、ＲＦＩＤカード７０１内のＲＦＩＤタグ７０２上にはプリンタ名"ｐｒｉｎｔｅｒ＿Ａ"であるプリンタ７０３の情報が入っていると判断される。この場合はＲＦＩＤタグ７０２の不揮発性メモリ３０１に対して何もライトしないで（Ｓ１００５）、処理を終了する。
【０１１７】
これにより、ユーザがプリンタ７０３の設置してある場所まで出向き、携帯しているＲＦＩＤカード７０１をプリンタ７０３のＲＦＩＤリーダ・ライタ７０４にかざすことにより、前述してきたような動作が行われる。その後、ユーザは後自分のＰＣ９０１の場所に戻り、今度は携帯しているＲＦＩＤカード７０１をＰＣ９０１に備えられているＲＦＩＤリーダ・ライタ９０２に翳すと、図１１に示す処理が開始される。
【０１１８】
図１１は、本発明に係る印刷システムにおける第３のデータ処理手順の一例を示すフローチャートであり、ＰＣ９０１におけるＣＰＵによるデータ処理手順に対応する。なお、Ｓ１１０１〜Ｓ１１０６は各ステップを示す。
【０１１９】
先ず、ＰＣ９０１のＲＦＩＤリーダ・ライタ９０２は、ユーザにより翳されたＲＦＩＤカード７０１内のＲＦＩＤタグ７０２の不揮発性メモリ３０１のデータを受信する（Ｓ１１０１）。その結果、個人情報領域８０１内のデータ、プリンタ情報領域８０２のデータ及びその他の情報領域８０３のデータが受信される。
【０１２０】
図９における各種プリンタ情報９０３は、ＲＦＩＤタグ７０２からＰＣ９０１のＲＦＩＤリーダ・ライタ９０２に送信されるプリンタ情報領域８０２のデータを示す。
【０１２１】
その後、ＰＣ９０１は受信したデータの中からプリンタ情報領域のデータを抽出する（Ｓ１１０２）。その結果、図８の（ｂ）に示される"ｐｒｉｎｔｅｒ＿Ａ"、"ｐｒｉｎｔｅｒ＿Ｂ"、"ｐｒｉｎｔｅｒ＿Ｃ"、"ｐｒｉｎｔｅｒ＿Ｄ"の情報が得られる。
【０１２２】
次に、ＰＣ９０１は、抽出したプリンタ情報領域の情報の中に新規プリンタの情報があるか否かを判断する（Ｓ１１０３）。
【０１２３】
具体的にはＰＣ９０１は自身のメモリ（図示はしない）上に使用可能なプリンタの情報を格納する領域を持ち、その領域内のプリンタ情報と抽出したプリンタ情報領域の情報を比較することにより判断を行う。
【０１２４】
例えばＰＣ９０１は、既に"ｐｒｉｎｔｅｒ＿Ａ"、"ｐｒｉｎｔｅｒ＿Ｂ"、"ｐｒｉｎｔｅｒ＿Ｃ"のプリンタドライバがインストールされており３つのプリンタを使用可能であったとするとＰＣ９０１のメモリ上には"ｐｒｉｎｔｅｒ＿Ａ"、"ｐｒｉｎｔｅｒ＿Ｂ"、"ｐｒｉｎｔｅｒ＿Ｃ"のプリンタ情報は既に存在している。
【０１２５】
そして、抽出した情報には"ｐｒｉｎｔｅｒ＿Ａ"、"ｐｒｉｎｔｅｒ＿Ｂ"、"ｐｒｉｎｔｅｒ＿Ｃ"、"ｐｒｉｎｔｅｒ＿Ｄ"の情報が存在するので"ｐｒｉｎｔｅｒ＿Ｄ"は新規プリンタであると判断する。即ち抽出したプリンタ情報領域の情報の中に新規プリンタの情報があると判断する。
【０１２６】
ここで、新規プリンタの情報があると判断した場合は、ＰＣ９０１は"ｐｒｉｎｔｅｒ＿Ｄ"のドライバのＵＲＬ即ちサーバ９０５上のプリンタドライバＤＢ９０５における"ｐｒｉｎｔｅｒ＿Ｄ"のプリンタドライバのありかを示すＵＲＬ ｈｔｔｐ：／／ｄｄｄ．ｄｄｄにアクセスし、"ｐｒｉｎｔｅｒ＿Ｄ"のセットアップ情報であるプリンタドライバ９０６をダウンロードする（Ｓ１１０４）。尚、セットアップ情報は第１実施形態において説明したものと基本的同様のとするので詳しい説明は省略する。
【０１２７】
本実施形態では説明の便宜上プリンタドライバという名前で説明を行うが、プリンタドライバ９０６にはプリンタドライバ１０７のインストーラが含まれていることは言うまでもない。
【０１２８】
そして、"ｐｒｉｎｔｅｒ＿Ｄ"のプリンタドライバ９０６のダウンロード後、ＰＣ９０１はそのインストールを行うが、その際に"ｐｒｉｎｔｅｒ＿Ｄ"のＩＰアドレス"４４４．４４．４４．４４４"の設定を行い（Ｓ１１０６）、処理を終了する。
【０１２９】
一方、ステップ（Ｓ１１０３）において、抽出したプリンタ情報領域の情報の中に新規プリンタの情報がないと判断された場合、何もダウンロードしないで（Ｓ１１０５）、処理を終了する。
【０１３０】
その後、ユーザは"ｐｒｉｎｔｅｒ＿Ｄ"、即ちプリンタ７０３に対応するプリンタドライバを介して各種文書を印刷することが可能となる。
【０１３１】
以上説明してきたように第２実施形態によれば、プリンタ７０３にＲＦＩＤリーダ・ライタ７０４を設け、更にＰＣ９０１にもＲＦＩＤリーダ・ライタ９０２を設けることにより、ＲＦＩＤカード７０１上のＲＦＩＤタグ７０２を介してプリンタ７０３用のプリンタドライバのありかを示すＵＲＬ及びプリンタ７０３のＩＰアドレスをＰＣ９０１が取得することが可能となる。
【０１３２】
更にＰＣ９０１は取得したサーバ９０５上のプリンタドライバＤＢ９０５のＵＲＬからプリンタ７０３用のプリンタドライバをダウンロードし、取得したプリンタ７０３のＩＰアドレスをプリンタドライバに設定することが可能となる。ユーザはプリンタ７０３のプリンタ名やＩＰアドレスを知らなくてもプリンタ７０３を使用することが可能となるのでプリンタドライバインストールの簡易化が可能となる。
【０１３３】
上記実施形態によれば、ユーザによるプリンタドライバの選択や設定が簡易化されたプリンタドライバインストール方法を提供することが可能となる。
【０１３４】
以下、図１２に示すメモリマップを参照して本発明に係る画像処理システムで読み取り可能なデータ処理プログラムの構成について説明する。
【０１３５】
図１２は、本発明に係る画像処理システムで読み取り可能な各種データ処理プログラムを格納する記憶媒体のメモリマップを説明する図である。
【０１３６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１３８】
本実施形態における図６，図１０，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１３９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４０】
この場合、記憶媒体から読み出されたプログラムコード自体が本発明の新規な機能を実現することになり、そのプログラムコードを記憶した記憶媒体は本発明を構成することになる。
【０１４１】
従って、プログラムの機能を有していれば、オブジェクトコード、インタプリタにより実行されるプログラム、ＯＳに供給するスクリプトデータ等、プログラムの形態を問わない。
【０１４２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４３】
この場合、記憶媒体から読出されたプログラムコード自体が前述した実施形態の機能を実現することになり、そのプログラムコードを記憶した記憶媒体は本発明を構成することになる。
【０１４４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。
【０１４５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１４６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１４７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４９】
本発明は上記実施形態に限定されるものではなく、本発明の趣旨に基づき種々の変形（各実施形態の有機的な組合せを含む）が可能であり、それらを本発明の範囲から排除するものではない。
【０１５０】
本発明の様々な例と実施形態を示して説明したが、当業者であれば、本発明の趣旨と範囲は、本明細書内の特定の説明に限定されるのではない。
【０１５１】
なお、本発明は、上記した実施形態に限定されるものではなく、本発明の要旨を逸脱しない範囲内において種々変更を加え得ることは勿論である。
【産業上の利用可能性】
【０１５２】
上記実施形態では、ＰＣ（データ処理装置）にプリンタドライバを添付して１つのデータ処理装置にメール送信する場合について説明したが、複数のアドレスにプリンタドライバを同報送信してもよい。
【０１５３】
さらに、ユーザがメモリ（ＳＤメモリ）等を装着可能な携帯電話を所有している場合には、該携帯電話のメールアドレス（複数のアドレス）にもプリンタドライバをメールして、ＰＣ自体がメールを受信できない状況であっても、携帯電話とＰＣとのインタフェースを介して、携帯電話のメモリにメール送信されたプリンタドライバおよびその管理情報をＰＣにダウンロードできるように構成して、上記実施形態と同様に、プリンタドライバのインストール処理を行えるように構成してもよい。
【図面の簡単な説明】
【０１５４】
【図１】本発明の第１実施形態を示す印刷システムの一例を示すブロック図である。
【図２】図１に示したプリンタを制御するビデオコントローラの構成を説明するブロック図である。
【図３】図１に示したＲＦＩＤタグの構成を説明するブロック図である。
【図４】図１に示したプリンタ内のＲＦＩＤリーダの構成を説明するブロック図である。
【図５】図１に示したＲＦＩＤカード内に備えられているＲＦＩＤタグの不揮発性メモリ内のデータ内容の一部を説明する図である。
【図６】本発明に係る印刷システムにおける第１のデータ処理手順の一例を示すフローチャートである。
【図７】本発明の第２実施形態を示す印刷システムの構成を説明するブロック図である。
【図８】図７に示したＲＦＩＤカード内に備えられているＲＦＩＤタグの不揮発性メモリ内のデータ内容の一部を説明する図である。
【図９】本発明の第２実施形態を示す印刷システムの構成を説明するブロック図である。
【図１０】本発明に係る印刷システムにおける第２のデータ処理手順の一例を示すフローチャートである。
【図１１】本発明に係る印刷システムにおける第３のデータ処理手順の一例を示すフローチャートである。
【図１２】本発明に係る印刷システムで読み取り可能な各種データ処理プログラムを格納する記憶媒体のメモリマップを説明する図である。
【符号の説明】
【０１５５】
１０１ ＲＦＩＤジャード
１０２ ＲＦＩＤタグ
１０３ ＰＣ
１０４ プリンタ
１０５ ＲＦＩＤリーダ
１０６ プリンタドライバ
１０９ ネットワーク
【図１】
0004464413.tif 000002
【図２】
0004464413.tif 000003
【図３】
0004464413.tif 000004
【図４】
0004464413.tif 000005
【図５】
0004464413.tif 000006
【図６】
0004464413.tif 000007
【図７】
0004464413.tif 000008
【図８】
0004464413.tif 000009
【図９】
0004464413.tif 000010
【図１０】
0004464413.tif 000011
【図１１】
0004464413.tif 000012
【図１２】
0004464413.tif 000013